(57)【特許請求の範囲】
【請求項１】
リモートコントロール信号用の受光素子と、この受光素子で受信したリモートコントロール信号の増幅、フィルタリングおよび復調を行うリモートコントロール信号用の受信集積回路と、ＩｒＤＡ規格に基づく制御信号用の受光素子と、この受光素子で受信したＩｒＤＡ規格に基づく制御信号の増幅、フィルタリングおよび復調を行うＩｒＤＡ規格に基づく制御信号用の受信集積回路と、ＩｒＤＡ規格に基づく制御信号用の発光素子と、この発光素子用のドライブ回路とからなる光空間伝送装置において、
これら構成部材が１つのモールドパッケージ内に収納されており、かつ、前記リモートコントロール信号用の受光素子とＩｒＤＡ規格に基づく制御信号用の発光素子とが、ＩｒＤＡ規格に基づく制御信号用の受光素子を介して並設されていることを特徴とする光空間伝送装置。
【請求項２】
光空間伝送装置の外部から入力されたコントロール信号に基づき、リモートコントロール信号用の受信集積回路およびＩｒＤＡ規格に基づく制御信号用の受信集積回路のうちの一方の受信集積回路の動作を停止させる手段を有する請求項１記載の光空間伝送装置。
【請求項３】
受信した信号によって前記リモートコントロール信号用の受信集積回路から出力が出ている場合にはＩｒＤＡ規格に基づく制御信号用の受信集積回路の動作を停止させ、かつ、受信した信号によってＩｒＤＡ規格に基づく制御信号用の受信集積回路から出力が出ている場合にはリモートコントロール信号用の受信集積回路の動作を停止させる手段を有する請求項１記載の光空間伝送装置。
【発明の詳細な説明】
【０００１】
【発明の属する技術分野】
本発明は、複数の電子機器間においてＩｒＤＡ規格に基づく通信を行う際に用いられる光空間伝送装置に関するものである。
【０００２】
【従来の技術】
一般的に、ＴＶ（ｔｅｌｅｖｉｓｉｏｎ）、ＶＴＲ（ｖｉｄｅｏ  ｔａｐｅ  ｒｅｃｏｒｄｅｒ）、オーディオ等の電子機器をワイヤレスで制御するために（例えば、電源のオン、オフやチャンネルのアップ、ダウン等をするために）、赤外線を利用したリモコン（リモートコントローラ）が使用されている。そして、電子機器側には、この赤外線を使用したリモコンから出力されるリモートコントロール信号（リモコン信号）を受信するためのリモコン受光ユニットが設けられており、リモコンとリモコン受光ユニットとでリモコンシステムを形成していた。
【０００３】
このリモコンからは、赤外線をコード化して３０〜６０ｋＨｚで変調した信号がリモコン信号として送信される。そして、リモコン受光ユニットには、受信したリモコン信号を電気信号に変換し、変調されている３０〜６０ｋＨｚの中の特定の周波数成分を通して他の成分を除去し、さらに復調し、コード信号に変えて、電子機器の動作を制御するマイコン等へ伝送するという働きがある。マイコンは、伝送されてきたコード信号に基づき、電子機器の電源をオンまたはオフするための制御や、チャンネルをアップまたはダウンするための制御等を実行する。
【０００４】
この様にして、リモコンシステムでは、リモコンからリモコン受光ユニットへの片方向通信で、電子機器特有のコードやフォーマットで信号の送受信が行なわれる。なお、リモコンは各電子機器専用のものである。
【０００５】
一方、パソコン（パーソナルコンピュータ）とその周辺機器（例えば、キーボード、マウス、ジョイスティック、ＰＤＡ（ｐｅｒｓｏｎａｌ  ｄｉｇｉｔａｌａｓｓｉｓｔａｎｔ）等）との間で赤外線を利用した双方向のワイヤレス通信を実施する際に利用される通信フォーマットとして、ＩｒＤＡ（Ｉｎｆｒａ−ｒｅｄ  Ｄａｔａ  Ａｓｓｏｃｉａｔｉｏｎ）コントロールがある。このＩｒＤＡコントロールは、赤外線データ通信の業界標準化団体であるＩｒＤＡにて規格された赤外線通信フォーマットに基づくものである。
【０００６】
ＩｒＤＡコントロールを採用した通信システムの特徴としては、１度に複数の周辺機器とパソコンとの間で通信を行うことが可能であることや、伝送距離が５メートルと長いことがあげられ、さらに、リモコンシステムと比較して伝送速度が速いこともあげられる。
【０００７】
また、一般家庭では、家電製品がデジタル化され、さらに情報の授受に使用される通信端末の家電化およびネットワーク化が進んできており、そのため、家電製品においても双方向通信の用途が産まれてきている。前述のＩｒＤＡコントロールはこの双方向通信を行う場合にも利用可能である。具体的な利用例としては、衛星放送やＣＡＴＶ（ｃａｂｌｅ  ｔｅｌｅｖｉｓｉｏｎ）用のＳＴＢ（ｓｅｔ  ｔｏｐ  ｂｏｘ）とワイヤレスキーボードとを組合せて使用するときに、ＩｒＤＡコントロールを採用したシステムを用いてＳＴＢとワイヤレスキーボードとの間で双方向通信を実施する場合があげられる。さらに、他の利用例としては、ディジタル化されたＴＶとパソコンとを融合して利用する際にＴＶとパソコンとの間で双方向通信を実施する場合があげられる。この場合では、ＴＶのデジタル化が進むにつれＴＶとパソコンとの間でワイヤレスで伝送する情報量が増え、伝送速度が遅い通常のリモコンシステムでは対応しきれないため、特にＩｒＤＡコントロールを採用したシステムが必要とされる。
【０００８】
【発明が解決しようとする課題】
しかしながら、前述のＳＴＢやＴＶの制御には、従来のリモコンシステムが安価であるため、リモコンシステムも使用される。そのため、ＳＴＢやＴＶ側では、光信号を受信するための機器（いわゆる、光空間伝送装置）である、リモコン信号を受信するためのリモコン受光ユニットとＩｒＤＡコントロールを採用した通信システムのフロントエンド部とを別々にＰＷＢ（ｐｒｉｎｔｅｄｗｉｒｉｎｇ  ｂｏａｒｄ）上に実装する必要がある。その結果、光空間伝送装置の取付けが複雑になり、かつ、光空間伝送装置を取付けるために必要なスペースが広くなってしまうといった問題があった。
【０００９】
本発明はこのような問題を解決すべく創案されたもので、リモコン受光ユニットとフロントエンド部とを一体型にすることにより、光空間伝送装置の取付けを簡単化し、かつ、取付けスペースを縮小することができる光空間伝送装置を提供することにある。
【００１０】
【課題を解決するための手段】
本発明の光空間伝送装置は、リモートコントロール信号用の受光素子と、この受光素子で受信したリモートコントロール信号の増幅、フィルタリングおよび復調を行うリモートコントロール信号用の受信集積回路と、ＩｒＤＡ規格に基づく制御信号用の受光素子と、この受光素子で受信したＩｒＤＡ規格に基づく制御信号の増幅、フィルタリングおよび復調を行うＩｒＤＡ規格に基づく制御信号用の受信集積回路と、ＩｒＤＡ規格に基づく制御信号用の発光素子と、この発光素子用のドライブ回路とからなる光空間伝送装置において、これら構成部材が１つのモールドパッケージ内に収納されており、かつ、前記リモートコントロール信号用の受光素子とＩｒＤＡ規格に基づく制御信号用の発光素子とが、ＩｒＤＡ規格に基づく制御信号用の受光素子を介して並設されているものである。
【００１１】
この発明によれば、リモコン受光ユニットとフロントエンド部とを同時に実装することができる。
【００１３】
また、前記受光素子と、アンプ部と、リモートコントロール信号用の受信集積回路と、ＩｒＤＡ規格に基づく制御信号用の受信集積回路とが１チップで形成されていてもよく、この場合には、光空間伝送装置を構成する部品点数を削減することができる。
【００１４】
また、光空間伝送装置の外部から入力されたコントロール信号に基づき、リモートコントロール信号用の受信集積回路およびＩｒＤＡ規格に基づく制御信号用の受信集積回路のうちの一方の受信集積回路の動作を停止させる手段を有していてもよく、この場合には、リモートコントロール信号用の受信集積回路とＩｒＤＡ規格に基づく制御信号用の受信集積回路とが干渉し合い互いにノイズ源となることを防止できる。
【００１５】
また、受信した信号によって前記リモートコントロール信号用の受信集積回路から出力が出ている場合にはＩｒＤＡ規格に基づく制御信号用の受信集積回路の動作を停止させ、かつ、受信した信号によってＩｒＤＡ規格に基づく制御信号用の受信集積回路から出力が出ている場合にはリモートコントロール信号用の受信集積回路の動作を停止させる手段を有していてもよく、この場合には、外部からコントロールすることなく、リモートコントロール信号用の受信集積回路とＩｒＤＡ規格に基づく制御信号用の受信集積回路とが干渉し合い互いにノイズ源となることを防止できる。
【００１６】
【発明の実施の形態】
次に、本発明の光空間伝送装置の実施の形態１について図面を参照しつつ説明する。
【００１７】
図１は、本発明の光空間伝送装置の実施の形態１を示すブロック図であり、図２は、本発明の光空間伝送装置の一実施例を示す正面図である。なお、図２においては、光空間伝送装置の内部をより明確に示すために、モールドパッケージのレンズ部を破線を用いて示した。
【００１８】
本実施の形態１において、光空間伝送装置は、リモコン信号用の受光素子であるリモコン用ＰＤ（ｐｈｏｔｏ ｄｉｏｄｅ）１と、リモコン信号用の受信集積回路であるリモコン用受信ＩＤ２と、ＩｒＤＡ規格に基づく制御信号用の受光素子であるＩｒＤＡ用ＰＤ３と、ＩｒＤＡ規格に基づく制御信号用の受信集積回路であるＩｒＤＡコントロール用受信ＩＤ４と、ＩｒＤＡ規格に基づく制御信号用の発光素子であるＬＥＤ（ｌｉｇｈｔ ｅｍｉｔｔｉｎｇ ｄｉｏｄｅ）５と、ＬＥＤ５用のドライブ回路６とを備えている。
【００１９】
さらに、前記リモコン用受信ＩＤ２は、リモコン用ＰＤ１で受信したリモコン信号を増幅するためのＡＭＰ（ａｍｐｌｉｆｉｅｒ）２１、所定の周波数成分（ｆ０＝３０〜６０ｋＨｚ）以外を除去（フィルタリング）するためのＢＰＦ（Ｂａｎｄｐａｓｓ  ｆｉｌｔｅｒ）２２および復調回路２３等から構成されており、ＩｒＤＡコントロール用受信ＩＤ４は、ＩｒＤＡ用ＰＤ３で受信したＩｒＤＡ規格に基づく制御信号を増幅するためのＡＭＰ４１、所定の周波数成分（ｆ０＝１．５ＭＨｚ）たげを通すためのＢＰＦ４２、復調回路４３およびバッファ回路４４等から構成されている。
【００２０】
本実施の形態１の光空間伝送装置においては、リモコン受光ユニットの構成部品であるリモコン用ＰＤ１およびリモコン用受信ＩＤ２と、ＩｒＤＡコントロール用の構成部品であるＩｒＤＡ用ＰＤ３、ＩｒＤＡコントロール用受信ＩＤ４、ＬＥＤ５およびドライブ回路６とが、１つのモールドパッケージ７内に構成され、かつ、１つの基板上または１つのフレーム上に実装されて、一体構造となっている。つまり、この光空間伝送装置は、リモコン受光ユニットとしての機能と、ＩｒＤＡコントロールを採用した通信システムの信号送受信部としての機能との両方を備えたフロントエンド部を提供している。
【００２１】
モールドパッケージ７の信号送受信面Ｓには、リモコン信号をリモコン用ＰＤ１に導くためのリモコン用受信レンズ部１７と、ＩｒＤＡ規格に基づく制御信号をＩｒＤＡ用ＰＤ３に導くためのＩｒＤＡ用受信レンズ部２７と、ＩｒＤＡ規格に基づく制御信号を光空間伝送装置の外部に取り出すためのＩｒＤＡ用送信レンズ部３７とが形成されている。
【００２２】
さらに、ＬＥＤ５から出力される光がリモコン用ＰＤ１に影響しないように、かつ、双方向通信に使用されるＩｒＤＡ用ＰＤ３とＬＥＤ５とが対で配置されるように、リモコン用ＰＤ１およびＬＥＤ５はＩｒＤＡ用ＰＤ３を介して並設される。例えば、図２に示す光空間伝送装置では、信号送受信面Ｓに対向する方向から見て、ＩｒＤＡ用ＰＤ３の左側にリモコン用ＰＤ１が配置され、ＩｒＤＡ用ＰＤ３の右側にＬＥＤ５が配置されている。
【００２３】
また、モールドパッケージ７には、リモコン用受信ＩＤ２に接続されたリモコン出力端子（リモコン出力）７１と、ＩｒＤＡコントロール用受信ＩＤ４のバッファ回路４４に接続された受信データ出力端子（ＲＸＤ）７２、送信データ入力端子（ＳＤ）７３およびリセット用端子（ＲＥＳＥＴ）７４と、ＬＥＤ５の陽極に接続されたＬＥＤアノード端子（ＬＥＤアノード）７５と、ドライブ回路６に接続されており送信データが入力される送信データ入力端子（ＴＸＩＮ）７６が設けられている。
【００２４】
本実施の形態の光空間伝送装置によれば、リモコンのような専用機を用いた片方向通信を行うのみでなく、ＩｒＤＡにて規格された赤外線通信フォーマットを逸脱しない範囲において汎用の端末とＴＶ、ＶＴＲ、オーディオ等の電子機器との間での双方向通信を行うといったＩｒＤＡコントロールの使用が可能になる。これにより、例えば、汎用のＰＤＡと電子機器との間で双方向通信を行うことや、ワイヤレスキーボード、ワイヤレスマウス、ワイヤレスジョイスティックを電子機器に接続することができる等、様々なワイヤレス機器との接続および複数台のワイヤレス機器との同時接続が可能になる。また、伝送速度も、リモコンシステムでは１ｋｂｐｓであるのに比べ、７５ｋｂｐｓと速くなり、所定時間内に送信できる情報量が多くなる。
【００２５】
さらに、本実施の形態１の光空間伝送装置によれば、リモコン受光ユニットとフロントエンド部とが一体型構造になっているため、リモコン受光ユニットとフロントエンド部とを同時に実装することができるので光空間伝送装置の取付けを簡単化することができ、かつ、光空間伝送装置の取付けスペースを縮小することができる。
【００２６】
次に、本発明の光空間伝送装置の実施の形態２について図面を参照しつつ説明する。
【００２７】
図３は、本発明の光空間伝送装置の実施の形態２を示すブロック図である。
【００２８】
本実施の形態２の光空間伝送装置と実施の形態１に示した光空間伝送装置との間で異なる箇所は、図１に示すリモコン用ＰＤ１とＩｒＤＡ用ＰＤ３とを共通化して１つのＰＤ（共通ＰＤ）８で実現したところである。それにしたがって、図１に示すリモコン用受信レンズ部１７とＩｒＤＡ用受信レンズ部２７とを共通化して１つの受信レンズ部９で実現することができ、レンズ部を１つ削減してモールドパッケージ７′の形状の簡単化を図ることができる。
【００２９】
また、単にリモコン用ＰＤ１とＩｒＤＡ用ＰＤ３とを共通化して１つのＰＤをリモコン用受信ＩＤ２およびＩｒＤＡコントロール用受信ＩＤ４に接続したのみでは、１つのＰＤで発生した電流がリモコン用受信ＩＤ２およびＩｒＤＡコントロール用受信ＩＤ４それぞれに分散するため、実施の形態１に示す光空間伝送装置に比べて受信感度（Ｓ／Ｎ比）が悪くなり、充分な特性が得られなくなる。そのため、本実施の形態２においては、共通ＰＤ８とリモコン用受信ＩＤ２のＡＭＰ２１およびＩｒＤＡコントロール用受信ＩＤ４のＡＭＰ４１との間に共通アンプ部１０を設けて、共通ＰＤ８で電気信号に変換されたリモコン信号およびＩｒＤＡ規格に基づく制御信号を電流電圧変換し所定の値まで増幅することによって、受信感度（Ｓ／Ｎ比）を悪化させることなくＰＤの削減を可能にしている。
【００３０】
さらに、共通ＰＤ８から共通アンプ部１０の出力までの周波数特性を合わせることで共通化を図り、共通ＰＤ８で発生した電流を共通アンプ部１０で増幅した後にリモコン用受信ＩＤ２およびＩｒＤＡコントロール用受信ＩＤ４に分けることにより、負荷の影響を受けにくくすることができる。
【００３１】
また、共通ＰＤ８、共通アンプ部１０、リモコン用受信ＩＤ２およびＩｒＤＡコントロール用受信ＩＤ４を１チップで形成することにより、光空間伝送装置を構成する部品点数を削減することができる。
【００３２】
次に、本発明の光空間伝送装置の実施の形態３について図面を参照しつつ説明する。
【００３３】
図４は、本発明の光空間伝送装置の実施の形態３を示すブロック図である。
【００３４】
本実施の形態３の光空間伝送装置と実施の形態１に示した光空間伝送装置との間で異なる箇所は、リモコン用シャットダウン回路１１とＩｒＤＡ用シャットダウン回路１２とＯＮ／ＯＦＦ（オン・ オフ）コントロール回路１３とが追加されているところである。
【００３５】
このリモコン用シャットダウン回路１１はリモコン用受信ＩＤ２の動作を停止させる機能を有し、ＩｒＤＡ用シャットダウン回路１２はＩｒＤＡコントロール用受信ＩＤ４の動作を停止させる機能を有している。そして、ＯＮ／ＯＦＦコントロール回路１３は、光空間伝送装置に送信されてきた光信号がリモコンからのものであり、リモコン用受信ＩＤ２がＯＮ状態になったときに、ＩｒＤＡ用シャットダウン回路１２を動作させ、一方、光空間伝送装置に送信されてきた光信号がＩｒＤＡ規格に基づく制御信号であり、ＩｒＤＡコントロール用受信ＩＤ４がＯＮ状態になったときに、リモコン用シャットダウン回路１１を動作させる機能を有している。このＯＮ／ＯＦＦコントロール回路１３の動作は、外部から入力されたコントロール信号に基づき（コントロール端子７７から入力されたコントロール信号に基づき）コントロールされる。
【００３６】
本実施の形態３の光空間伝送装置によれば、同一モールドパッケージ内に構成されたリモコン用受信ＩＤ２とＩｒＤＡコントロール用受信ＩＤ４とが同時に動作した場合に、リモコン用受信ＩＤ２とＩｒＤＡコントロール用受信ＩＤ４とが干渉し合い互いにノイズ源となることを防止できる。
【００３７】
なお、ＯＮ／ＯＦＦコントロール回路１３は、リモコン用受信ＩＤ２および（または）ＩｒＤＡコントロール用受信ＩＤ４内に内蔵させてもよく、また、別チップとして実装してもよい。
【００３８】
また、図４中に破線で示すように、リモコン用受信ＩＤ２の出力とＩｒＤＡコントロール用受信ＩＤ４の出力とをＯＮ／ＯＦＦコントロール回路１３にフィードバックし、リモコン用受信ＩＤ２から出力が出ている場合にはＯＮ／ＯＦＦコントロール回路１３によってＩｒＤＡ用シャットダウン回路１２を動作させ、ＩｒＤＡコントロール用受信ＩＤ４から出力が出ている場合にはＯＮ／ＯＦＦコントロール回路１３によってリモコン用シャットダウン回路１１を動作させてもよい。なお、この場合、リモコン用受信ＩＤ２およびＩｒＤＡコントロール用受信ＩＤ４の両方から出力がない状態が一定時間以上継続したときには、リモコン用シャットダウン回路１１およびＩｒＤＡ用シャットダウン回路１２の両方の動作を停止させることとする。
【００３９】
このように、リモコン用受信ＩＤ２の出力とＩｒＤＡコントロール用受信ＩＤ４の出力とをＯＮ／ＯＦＦコントロール回路１３にフィードバックすることにより、外部からコントロールすることなく光空間伝送装置自体でシャットダウン回路のコントロールを行うことができる。
【００４０】
【発明の効果】
本発明によれば、リモートコントロール信号用の受光素子と、この受光素子で受信したリモートコントロール信号の増幅、フィルタリングおよび復調を行うリモートコントロール信号用の受信集積回路と、ＩｒＤＡ規格に基づく制御信号用の受光素子と、この受光素子で受信したＩｒＤＡ規格に基づく制御信号の増幅、フィルタリングおよび復調を行うＩｒＤＡ規格に基づく制御信号用の受信集積回路と、ＩｒＤＡ規格に基づく制御信号用の発光素子と、この発光素子用のドライブ回路とからなる光空間伝送装置において、これら構成部材が１つのモールドパッケージ内に収納されており、かつ、前記リモートコントロール信号用の受光素子とＩｒＤＡ規格に基づく制御信号用の発光素子とが、ＩｒＤＡ規格に基づく制御信号用の受光素子を介して並設されているので、リモコン受光ユニットとフロントエンド部とが一体型構造になっており、光空間伝送装置の取付けを簡単化することができ、かつ、光空間伝送装置の取付けスペースを縮小することができる。
【００４２】
また、前記受光素子と、アンプ部と、リモートコントロール信号用の受信集積回路と、ＩｒＤＡ規格に基づく制御信号用の受信集積回路とが１チップで形成されていてもよく、この場合には、光空間伝送装置を構成する部品点数を削減することができる。
【００４３】
また、光空間伝送装置の外部から入力されたコントロール信号に基づき、リモートコントロール信号用の受信集積回路およびＩｒＤＡ規格に基づく制御信号用の受信集積回路のうちの一方の受信集積回路の動作を停止させる手段を有していてもよく、この場合には、リモートコントロール信号用の受信集積回路とＩｒＤＡ規格に基づく制御信号用の受信集積回路とが干渉し合い互いにノイズ源となることを防止できる。
【００４４】
また、受信した信号によって前記リモートコントロール信号用の受信集積回路から出力が出ている場合にはＩｒＤＡ規格に基づく制御信号用の受信集積回路の動作を停止させ、かつ、受信した信号によってＩｒＤＡ規格に基づく制御信号用の受信集積回路から出力が出ている場合にはリモートコントロール信号用の受信集積回路の動作を停止させる手段を有していてもよく、この場合には、外部からコントロールすることなく、リモートコントロール信号用の受信集積回路とＩｒＤＡ規格に基づく制御信号用の受信集積回路とが干渉し合い互いにノイズ源となることを防止できる。
【図面の簡単な説明】
【図１】  本発明の光空間伝送装置の実施の形態１を示すブロック図である。
【図２】  本発明の光空間伝送装置の一実施例を示す正面図である。
【図３】  本発明の光空間伝送装置の実施の形態２を示すブロック図である。
【図４】  本発明の光空間伝送装置の実施の形態３を示すブロック図である。
【符号の説明】
１  リモコン用ＰＤ
２  リモコン用受信ＩＤ
２１  ＡＭＰ
２２  ＢＰＦ
２３  復調回路
３  ＩｒＤＡ用ＰＤ
４  ＩｒＤＡコントロール用受信ＩＤ
４１  ＡＭＰ
４２  ＢＰＦ
４３  復調回路
４４  バッファ回路
５  ＬＥＤ
６  ドライブ回路
７，７′  モールドパッケージ
１７  リモコン用受信レンズ部
２７  ＩｒＤＡ用受信レンズ部
３７  ＩｒＤＡ用送信レンズ部
７１  リモコン出力端子
７２  受信データ出力端子
７３  送信データ入力端子
７４  リセット用端子
７５  ＬＥＤアノード端子
７６  送信データ入力端子
７７  コントロール端子
８  共通ＰＤ
９  受信レンズ部
１０  共通アンプ部
１１  リモコン用シャットダウン回路
１２  ＩｒＤＡ用シャットダウン回路
１３  ＯＮ／ＯＦＦコントロール回路
【図１】
0004094201.tif 000002
【図２】
0004094201.tif 000003
【図３】
0004094201.tif 000004
【図４】
0004094201.tif 000005